(57)【要約】多値記録を採用した情報記録再生装置において、記録メディアに記録するマークのサイズをビームスポットサイズ以下の所定サイズのみに制限して、クロストークおよびクロスライトの防止、低減を可能とした構成を実現する。多値変調データに基づく記録パルスを生成する記録パルス生成部と、記録パルスに基づいて、記録メディアにマークを記録するデータ記録部を有する。データ記録部は、記録メディアに記録する全てのマークのサイズを、ビームスポットの２次元光強度分布（パワープロファイル）の最大値（Ｐｍａｘ）の半分（１／２）のレベルとなるスポットサイズ以下のサイズとした記録処理を実行し、多値変調データの各レベルに応じて、記録マークの密度の異なる態様の記録領域を形成するデータ記録処理を実行する。
2019244550.tif 000002
【特許請求の範囲】
【請求項１】
多値変調データに基づく記録パルスを生成する記録パルス生成部と、
前記記録パルス生成部の生成した記録パルスに基づいて、記録メディアにマークを記録するデータ記録部を有し、
前記データ記録部は、
前記記録メディアに記録する全てのマークのサイズを、ビームスポットのスポットサイズ以下のサイズとするデータ記録処理を実行する情報記録装置。
【請求項２】
前記データ記録部は、
前記記録メディアに記録する全てのマークのサイズを、ビームスポットの２次元光強度分布（パワープロファイル）の最大値（Ｐｍａｘ）の半分（１／２）のレベルとなるスポットサイズ以下のサイズとするデータ記録処理を実行する請求項１に記載の情報記録装置。
【請求項３】
前記データ記録部は、
前記多値変調データの値に応じて、記録マークの密度の異なる複数の態様の記録領域を前記記録メディアに形成するデータ記録処理を実行する請求項１に記載の情報記録装置。
【請求項４】
前記データ記録部は、
前記多値変調データの値に応じて、
（ａ）マーク非記録領域、
（ｂ）第１密度のマーク記録領域、
（ｃ）第２密度のマーク記録領域、
ただし、前記第１密度は前記第２密度より低密度、
少なくとも上記３種類以上の異なる態様の記録領域を前記記録メディアに形成するデータ記録処理を実行する請求項１に記載の情報記録装置。
【請求項５】
前記データ記録部は、
前記多値変調データの値に応じて、
（ａ）第１密度のマーク記録領域、
（ｂ）第２密度のマーク記録領域、
（ｃ）第３密度のマーク記録領域、
ただし、前記第１密度は前記第２密度より低密度、前記第２密度は前記第３密度より低密度、
少なくとも上記３種類以上の異なる態様の記録領域を前記記録メディアに形成するデータ記録処理を実行する請求項１に記載の情報記録装置。
【請求項６】
前記記録パルス生成部は、
前記多値変調データの値に応じて密度の異なるパルス信号を生成して、前記データ記録部に出力する請求項１に記載の情報記録装置。
【請求項７】
前記記録パルス生成部は、
前記多値変調データの値に応じて密度の異なるパルス周波数変調（ＰＦＭ：Ｐｕｌｓｅ  Ｆｒｅｑｕｅｎｃｙ  Ｍｏｄｕｌａｔｉｏｎ）信号、
または、パルス密度変調（ＰＤＭ：Ｐｕｌｓｅ  Ｄｅｎｓｉｔｙ  Ｍｏｄｕｌａｔｉｏｎ）信号、
または、パルス数変調（ＰＮＭ：Ｐｕｌｓｅ  Ｎｕｍｂｅｒ  Ｍｏｄｕｌａｔｉｏｎ）信号により構成される記録パルスを生成し、
前記データ記録部が、該記録パルスに基づいて前記記録メディアにマークを形成するデータ記録処理を実行する請求項１に記載の情報記録装置。
【請求項８】
前記記録パルス生成部は、差分算出部と累積加算器（アキュムレータ）と再量子化部で構成されるデルタシグマ変調器を有し、前記多値変調データの値に応じて、パルス密度の異なる複数の態様の記録パルスを生成し、
前記データ記録部が、該記録パルスに基づいて前記記録メディアにマークを形成するデータ記録処理を実行する請求項１に記載の情報記録装置。
【請求項９】
前記データ記録部は、
記録補正部と、光学ピックアップユニット（ＯＰＵ：Ｏｐｔｉｃａｌ  Ｐｉｃｋｕｐ  Ｕｎｉｔ）を有し、
前記記録補正部は、
前記記録パルス生成部の生成した記録パルスの幅およびタイミングを補正して、該ＯＰＵを構成するレーザダイオードドライバ（ＬＤＤ：Ｌａｓｅｒ  Ｄｉｏｄｅ  Ｄｒｉｖｅｒ）に出力する記録信号を生成し、
前記ＬＤＤは、前記記録補正部が生成した記録信号により該ＯＰＵを構成するレーザダイオード（ＬＤ：Ｌａｓｅｒ  Ｄｉｏｄｅ）を駆動し、かつ、前記ＬＤＤは、該ＯＰＵを構成するフロントモニタ（ＦＰＤ：Ｆｒｏｎｔ  Ｍｏｎｉｔｏｒ  Ｐｈｏｔｏｄｅｔｅｃｔｏｒ）が出力する前記ＬＤ出力の光強度検出信号に基き前記ＬＤの出力光強度を制御し、筆先記録によるマーク記録を行う請求項１に記載の情報記録装置。
【請求項１０】
多値変調データに基づくマークを記録した情報記録媒体であり、
ビームスポットのスポットサイズ以下のサイズからなるマークのみを記録した情報記録媒体。
【請求項１１】
前記マークは全て、ビームスポットの２次元光強度分布（パワープロファイル）の最大値（Ｐｍａｘ）の半分（１／２）のレベルとなるスポットサイズ以下のサイズである請求項１０に記載の情報記録媒体。
【請求項１２】
情報記録媒体に記録されたマークの読出しを実行して多値変調データを取得するデータ読み出し部と、
前記データ読み出し部の取得した多値変調データを入力して２値データを生成する復調部を有し、
前記データ読み出し部は、
光学ピックアップユニットのビームスポットのスポットサイズ以下のマークのみの読出し処理を実行する情報再生装置。
【請求項１３】
前記データ読み出し部は、
光学ピックアップユニットのビームスポットの２次元光強度分布（パワープロファイル）の最大値（Ｐｍａｘ）の半分（１／２）のレベルとなるスポットサイズ以下のサイズのマークのみの読出し処理を実行する請求項１２に記載の情報再生装置。
【請求項１４】
情報記録装置において、情報記録媒体への情報記録処理を実行する情報記録方法であり、
記録パルス生成部が、多値変調データに基づく記録パルスを生成する記録パルス生成ステップと、
データ記録部が、前記記録パルス生成部の生成した記録パルスに基づいて、記録メディアにマークを記録するデータ記録ステップを実行し、
前記データ記録ステップにおいて、
前記記録メディアに記録する全てのマークのサイズを、ビームスポットのスポットサイズ以下のサイズとしたデータ記録処理を実行する情報記録方法。
【請求項１５】
情報記録装置に情報記録媒体への情報記録処理を実行させるプログラムあり、
記録パルス生成部に、多値変調データに基づく記録パルスを生成させる記録パルス生成ステップと、
データ記録部に、前記記録パルス生成部の生成した記録パルスに基づいて、記録メディアにマークを記録させるデータ記録ステップを実行し、
前記データ記録ステップにおいて、
前記記録メディアに記録する全てのマークのサイズを、ビームスポットのスポットサイズ以下のサイズとしたデータ記録処理を実行させるプログラム。
【発明の詳細な説明】
【技術分野】
【０００１】
本開示は、情報記録装置、情報再生装置、情報記録媒体、および方法、並びにプログラムに関する。さらに詳細には、情報記録媒体に高密度データを記録し、再生を行う情報記録装置、情報再生装置、情報記録媒体、および方法、並びにプログラムに関する。
【背景技術】
【０００２】
映画や音楽等、様々なコンテンツを記録する情報記録媒体（記録メディア）として、ＤＶＤ（Ｄｉｇｉｔａｌ  Ｖｅｒｓａｔｉｌｅ  Ｄｉｓｃ）や、ＢＤ（Ｂｌｕ−ｒａｙ（登録商標）  Ｄｉｓｃ）等の光ディスクが多く利用されている。
現行のＢＤ等の記録メディアは、主にＨＤ画像、いわゆるハイビジョン対応の２Ｋ画像が記録されているものが多いが、今後、高画質化が進み、超高精細画像（ＵＨＤ：Ｕｌｔｒａ  Ｈｉｇｈ  Ｄｅｆｉｎｉｔｉｏｎ画像）を記録したメディアが増加することが予想される。なお、超高精細画像（ＵＨＤ画像）は、例えば、４Ｋや８Ｋ等の高解像度画像が代表的な例である。【０００３】
これらの高画質データは、情報量が膨大であり、ＢＤ等のディスクには、より高密度な情報記録を行うことが求められる。
高密度な情報記録方法の一つとして多値記録がある。現状の多値記録では、多値変調信号に応じて記録時のレーザの光強度（記録パワー）および記録パルス幅を変調（ＰＷＭ：Ｐｕｌｓｅ  Ｗｉｄｔｈ  Ｍｏｄｕｌａｔｉｏｎ）して記録マークのサイズを調整し、多値変調信号の各レベルに応じたサイズ（面積および深さ）のマークをディスク上に形成する。
なお、多値記録処理について記載した従来技術として、例えば特許文献１（特開２００６−００４５１６号公報）や特許文献２（国際公開ＷＯ２０００／０７４０４５号公報）等がある。
【先行技術文献】
【特許文献】
【０００４】
【特許文献１】特開２００６−００４５１６号公報
【特許文献２】国際公開ＷＯ２０００／０７４０４５号公報
【発明の概要】
【発明が解決しようとする課題】
【０００５】
ディスク上の記録マーク列のラジアル方向の間隔であるトラックピッチは、面積あたりの記録密度を高密度ならしめるため、記録再生に係るビームスポットサイズと干渉しない範囲で狭い寸法に設定される。
ここでビームスポットサイズとは、光学ピックアップユニット（ＯＰＵ：Ｏｐｔｉｃａｌ  Ｐｉｃｋｕｐ  Ｕｎｉｔ）の対物レンズから記録メディア盤面に集光されたレーザビームの焦点における、対物レンズ開口の光学フーリエ変換像の光強度分布（パワープロファイル）の０次光の照射範囲（ニュートンリングの最も内側の領域に相当）を意味する。
また、前記の「干渉しない範囲」とは、ここでは、クロストークおよびクロスライト（後述）の影響が顕著ではない事を言う。
現状の多値記録では、多値変調信号に応じて記録時のレーザの光強度（記録パワー）および記録パルス幅を変調（ＰＷＭ）して記録マークのサイズを調整し、多値変調信号の各レベルに応じたサイズ（面積および深さ）のマークをディスク上に形成する。これをマークサイズ変調による多値記録と称する。相変化メディア等の記録後反射率低下型メディアにおけるマークサイズ変調による多値記録の深い諧調レベルでは、相対的に広いＰＷＭパルス幅の記録レーザビーム照射による熱作用によって、ビームスポットを超えるサイズの記録マークが形成される。
高密度記録を志向（指向）した、トラックピッチがビームスポットに比して相対的に狭いディスクでは、上記のビームスポットを超えるサイズのマークが、隣接トラックの再生信号に影響を与えてしまう。すなわち再生時のクロストークが発生する。また、データ記録処理においても、隣接トラックにはみ出すマークを記録する可能性があり、隣接トラックの記録データに影響を与えるいわゆるクロスライトを発生させる場合がある。
ここでクロスライトとは、相変化メディア等の記録後反射率低下型メディアにおいては、自トラックの記録レーザビームの照射に伴う熱作用により、隣接トラックの未記録部分（スペース部およびＧｒｏｏｖｅ−Ｌａｎｄ遷移領域の壁面相当部分も含む）の反射率を低下させ、当該隣接トラックの記録マーク列の変調度の低下を招いてＳＮＲを悪化させ、または、多値記録においてはレベル諧調のリニアリティーにダメージを与える事を言う。【０００６】
本開示は、例えば、上記問題点に鑑みてなされたものであり、クロストークやクロスライトを防止または低減させた多値変調信号の記録を行い、高品質な高密度データの記録再生を実現する情報記録装置、情報再生装置、情報記録媒体、および方法、並びにプログラムを提供することを目的とする。【０００７】
本開示の一実施例においては、ディスクの記録マークのサイズを変化させずに多値変調信号を記録することで、クロストークやクロスライトを防止または低減させた多値変調信号の記録を行い、高品質な高密度データの記録再生を実現する情報記録装置、情報再生装置、情報記録媒体、および方法、並びにプログラムを提供する。
【課題を解決するための手段】
【０００８】
本開示の第１の側面は、
多値変調データに基づく記録パルスを生成する記録パルス生成部と、
前記記録パルス生成部の生成した記録パルスに基づいて、記録メディアにマークを記録するデータ記録部を有し、
前記データ記録部は、
前記記録メディアに記録する全てのマークのサイズを、ビームスポットのスポットサイズ以下のサイズとするデータ記録処理を実行する情報記録装置にある。【０００９】
さらに、本開示の第２の側面は、
多値変調データに基づくマークを記録した情報記録媒体であり、
ビームスポットのスポットサイズ以下のサイズからなるマークのみを記録した情報記録媒体にある。【００１０】
さらに、本開示の第３の側面は、
情報記録媒体に記録されたマークの読出しを実行して多値変調データを取得するデータ読み出し部と、
前記データ読み出し部の取得した多値変調データを入力して２値データを生成する復調部を有し、
前記データ読み出し部は、
光学ピックアップユニットのビームスポットのスポットサイズ以下のマークの読出し処理を実行する情報再生装置にある。【００１１】
さらに、本開示の第４の側面は、
情報記録装置において、情報記録媒体への情報記録処理を実行する情報記録方法であり、
記録パルス生成部が、多値変調データに基づく記録パルスを生成する記録パルス生成ステップと、
データ記録部が、前記記録パルス生成部の生成した記録パルスに基づいて、記録メディアにマークを記録するデータ記録ステップを実行し、
前記データ記録ステップにおいて、
前記記録メディアに記録する全てのマークのサイズを、ビームスポットのスポットサイズ以下のサイズとしたデータ記録処理を実行する情報記録方法にある。【００１２】
さらに、本開示の第５の側面は、
情報記録装置に情報記録媒体への情報記録処理を実行させるプログラムあり、
記録パルス生成部に、多値変調データに基づく記録パルスを生成させる記録パルス生成ステップと、
データ記録部に、前記記録パルス生成部の生成した記録パルスに基づいて、記録メディアにマークを記録させるデータ記録ステップを実行し、
前記データ記録ステップにおいて、
前記記録メディアに記録する全てのマークのサイズを、ビームスポットのスポットサイズ以下のサイズとしたデータ記録処理を実行させるプログラムにある。【００１３】
なお、本開示のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。【００１４】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００１５】
本開示の一実施例の構成によれば、記録メディアに記録するマークのサイズをビームスポットサイズ以下に制限してクロストーク、クロスライトの防止、低減を可能とした構成が実現される。
具体的には、例えば、多値変調データに基づく記録パルスを生成する記録パルス生成部と、記録パルスに基づいて、記録メディアにマークを記録するデータ記録部を有する。データ記録部は、記録メディアに記録する全てのマークのサイズを、
ビームスポットの２次元光強度分布（パワープロファイル）の最大値（Ｐｍａｘ）の半分（１／２）のレベル（以下、これを半値幅と称する。）
となるスポットサイズ以下のサイズとした記録処理を実行し、多値変調データの各レベルに応じて、記録マークの密度の異なる態様の記録マーク列を形成するデータ記録処理を実行する。
本構成により、記録メディアに記録するマークのサイズを小さくしてクロストーク、クロスライトの防止、低減を可能とした構成が実現される。
なお、本明細書に記載された効果はあくまで例示であって限定されるものではなく、また付加的な効果があってもよい。
【図面の簡単な説明】
【００１６】
【図１】現状の多値変調信号の記録構成例について説明する図である。
【図２】本開示の多値変調信号の記録構成の一例について説明する図である。
【図３】本開示の記録装置と再生装置の機能を併せ持つ記録再生装置の一構成例について説明する図である。
【図４】記録パルス生成部の具体例について説明する図である。
【図５】記録パルス生成部が実行する記録パルスの生成処理について説明する図である。
【図６】ディスクに記録された記録マークの再生過程について説明する図である。
【図７】ディスクに記録するマークサイズの規定の一例について説明する図である。
【図８】ディスクに記録するマークサイズの規定の一例について説明する図である。
【発明を実施するための形態】
【００１７】
以下、図面を参照しながら本開示の情報記録装置、情報再生装置、情報記録媒体、および方法、並びにプログラムの詳細について説明する。なお、説明は以下の項目に従って行なう。
１．現状の多値変調信号の記録構成例について
２．本開示の多値変調信号の記録構成例について
３．本開示の記録装置、再生装置の構成例について
４．マークサイズの具体例について
５．本開示の処理を適用可能な記録媒体（記録メディア）について
６．本開示の構成のまとめ
【００１８】
［１．現状の多値変調信号の記録構成例について］
まず、図１を参照して現状の多値変調信号の記録構成例について説明する。
前述したように、ディスク等の記録媒体に対する高密度情報の記録方法の一つとして多値記録がある。現状の多値記録では、多値変調信号に応じてレーザの記録パワーおよび記録パルス幅を変調（ＰＷＭ：Ｐｕｌｓｅ  Ｗｉｄｔｈ  Ｍｏｄｕｌａｔｉｏｎ）して記録マークのサイズ（深さを含む）を調整し、多値変調信号の各レベルに応じたサイズのマークをディスク上に形成する。
【００１９】
図１は、現状の多値変調信号の記録構成例について説明する図である。
図１には、上から順に以下の各データを示している。ここでは前記の多値が３値である場合を例に説明する。
（ａ）記録用２値データ
（ｂ）多値（３値）変調データ
（ｃ）記録パルス
（ｄ）ディスク上の記録マーク
【００２０】
（ａ）記録用２値データは、０，１の２値データである。図に示す例では、
［０，０，１，０，１，０，１，０，１，０，１，０，１，０，０］
この記録ビット列を示している。
【００２１】
（ｂ）多値（３値）変調データは、上記（ａ）に示す記録用２値データを多値変調したデータである。図に示す多値変調例は、２値データを３値の多値データに変調した例である。なお、ディスクに記録する多値データとしては、３値以上の様々な多値データが利用できる。例えば４値、５値以上等、任意の多値データに変調することができる。
【００２２】
図１に示す多値（３値）データの例では、Ｓ０，Ｓ１，Ｓ２の３値によって構成される。
Ｓ０，Ｓ１，Ｓ２の３値間の遷移規則は任意であるが、例えば、記録用２値データのビット値＝０の場合、Ｓ０，Ｓ１，Ｓ２の３値間の遷移は実行せず、一方、記録用２値データのビット値＝１の場合、Ｓ０，Ｓ１，Ｓ２の３値間の遷移を実行する。この場合の多値変調のレベルは、Ｓ０→Ｓ１→Ｓ２→Ｓ１→Ｓ０のシーケンスに従って遷移する。
【００２３】
このような多値変調規則に従って図１の（ａ）記録用２値データが、図１の（ｂ）多値（３値）変調データに変調される。
（ｂ）多値（３値）変調データは、ディスク１０に記録するマーク列を規定するデータである。多値（３値）変調データのＳ０，Ｓ１，Ｓ２の各値に応じて、以下のようにマークの記録態様が制御される。
Ｓ０＝マークの記録なし、
Ｓ１＝第１サイズ（例えば、ビームスポット以下のサイズ）のマークを記録
Ｓ２＝第２サイズ（例えば、ビームスポットを超えるサイズ）のマークを記録
なお、このような様々なサイズのマークの記録処理は、レーザの記録パワー制御および記録パルス幅の変調（ＰＷＭ）により行われる。
【００２４】
図１に示す（ｃ）記録パルスは、多値（３値）変調データのＳ０，Ｓ１，Ｓ２の各値に応じた記録パルス列である。上記のマーク記録制御に従って生成される記録パルス列を示している。
この図１に示す（ｃ）記録パルスに従ってディスク１０にマークが記録される。この記録マークが図１に示す（ｄ）ディスク上の記録マークである。
ここで図１（ｄ）のマークは、相変化型メディア等の反射率低下型記録メディアの場合を示している。また、マークサイズとは、記録マークの幾何的面積のみではなく光学的面積（マークの反射率分布を加重積分して算出した面積）を意味する。
図１（ｄ）ディスク上の記録マークに示すように、マークは、異なるサイズのマーク列によって構成される。
【００２５】
このように、多値変調信号に応じてレーザの記録パワーおよび記録パルス幅を変調（ＰＷＭ）し、ディスクの記録マークのサイズを制御することで、多値変調信号の各レベルに応じたサイズのマークをディスクに形成することができる。
【００２６】
図１（ｄ）ディスク上の記録マークには、ディスク１０の１つのトラックである。トラックｎ上に記録されたマーク列を示している。これら異なるサイズのマーク列が、（ａ）に示す記録用２値データ［０，０，１，０，１，０，１，０，１，０，１，０，１，０，０］を多値（３値）変調して生成された記録データである。
【００２７】
しかし、このように多値変調データに基づく様々なサイズのマークをディスクに記録すると、トラックピッチが狭いディスクでは、ビームスポットを超えるサイズのマークが、隣接トラックの再生信号に影響を与えてしまう。すなわち再生時のクロストークが発生するという問題がある。また、データ記録処理においても、隣接トラックにはみ出すマークを記録してしまう可能性があり、隣接トラックの記録データに影響を与えるいわゆるクロスライトを発生させてしまう場合がある。
【００２８】
この結果、図１に示すトラックｎの記録データが、隣接するトラックｎ−１，ｎ＋１のデータの再生処理や記録処理に影響を与え、再生データのＳＮ比の低下、すなわち再生品質を低下させてしまうという問題が発生する。
【００２９】
［２．本開示の多値変調信号の記録構成例について］
次に、上述した問題点を解決する本開示の多値変調信号の記録構成例について説明する。
【００３０】
図２は、本開示の多値変調信号の記録構成の一例について説明する図である。
図２には、図１と同様、上から順に以下の各データを示している。
（ａ）記録用２値データ
（ｂ）多値（３値）変調データ
（ｃ）記録パルス
（ｄ）ディスク上の記録マーク
【００３１】
（ａ）記録用２値データは、０，１の２値データである。図に示す例では、
［０，０，１，０，１，０，１，０，１，０，１，０，１，０，０］
この記録ビット列を示している。
【００３２】
（ｂ）多値（３値）変調データは、上記（ａ）に示す記録用２値データを多値変調したデータである。図１を参照して説明したと同様、３値の多値データに変調した例を示している。３値の多値データは、Ｓ０，Ｓ１，Ｓ２の３値によって構成される。
Ｓ０，Ｓ１，Ｓ２の３値間の遷移規則は任意であるが、例えば、記録用２値データのビット値＝０の場合、Ｓ０，Ｓ１，Ｓ２の３値間の遷移は実行されず、一方、記録用２値データのビット値＝１の場合、Ｓ０，Ｓ１，Ｓ２の３値間の遷移が実行される。この場合の多値変調のレベルは、Ｓ０→Ｓ１→Ｓ２→Ｓ１→Ｓ０のシーケンスに従って遷移する。
【００３３】
このような多値変調規則に従って図２の（ａ）記録用２値データが、図２の（ｂ）多値（３値）変調データに変調される。
（ｂ）多値（３値）変調データは、ディスク１０に記録するマーク列を規定するデータになる。多値（３値）変調データのＳ０，Ｓ１，Ｓ２の各値に応じて、以下のようにマーク記録を制御する。
Ｓ０＝マークの記録なし、
Ｓ１＝所定サイズのマークを第１密度（低密度）で記録、
Ｓ２＝所定サイズのマークを第２密度（高密度）で記録、
ここで「密度」とは、トラック方向の単位長さあたりのマークの数、（単位：個／ｍ）または、記録に係る面積（トラックピッチ：Ｔｐとトラック方向単位長さの積）あたりの記録マークの総面積（光学的面積の総和）の比率（無次元量）を示すものとし、第１密度は第２密度より低密度、すなわち、第２密度＞第１密度とする。
【００３４】
本開示の処理では、図１を参照して説明したようなビームスポットを超えるサイズのマークを記録することなく、ビームスポット以下の所定サイズのマークのみを記録する。
Ｓ１，Ｓ２は、いずれも同一の所定サイズのマークを記録するが、Ｓ１のマークの密度はＳ２のマークの密度未満とする。
【００３５】
なお、Ｓ１，Ｓ２領域に記録する所定サイズのマークとは、具体的には、例えば、記録再生処理において利用されるビームスポットのサイズ以下のサイズを有するマーク、特に、ビームスポットの２次元光強度分布（パワープロファイル）における最大値（Ｐｍａｘ）の半分（１／２）のパワーレベルとなるビームスポット直径（半値幅）以下である。このマークサイズの具体例については後段で詳細に説明する。
【００３６】
例えば、マークサイズをビームスポットサイズ以下に設定することで、再生時に隣接トラックのマークがビームスポット内に入り込む可能性を抑止し、クロストークを効果的に低減することができる。
【００３７】
図２に示す（ｃ）記録パルスは、多値（３値）変調データのＳ０，Ｓ１，Ｓ２の各値に応じた記録パルス列である。上記のマーク記録制御に従って生成される記録パルス列を示している。
この図２に示す（ｃ）記録パルスに従ってディスク１０にマークが記録される。この記録マークが図２に示す（ｄ）ディスク上の記録マークである。
図２（ｄ）ディスク上の記録マークに示すように、マーク列は、ビームスポット以下の所定サイズのマークのみによって構成される。なお、所定サイズのマークは全て完全同一であることは要求されず実質的に同一サイズとみなされるサイズであればよい。例えば統計的公差範囲内の実質的に同一サイズとみなされるサイズであればよい。
【００３８】
本開示の処理では、多値変調信号に応じて記録マークのサイズの変更は行わず、マークの密度のみを変更することで、多値変調信号に応じたマーク列をディスクに形成することを可能としている。
【００３９】
図２（ｄ）ディスク上の記録マークには、ディスク１０の１つのトラックである。トラックｎ上に記録されたマーク列を示している。これらビームスポット以下の所定サイズのマーク列が、（ａ）に示す記録用２値データ［０，０，１，０，１，０，１，０，１，０，１，０，１，０，０］を多値（３値）変調して生成された記録データである。
【００４０】
このように、本開示の処理では、隣接トラックに影響を及ぼすビームスポットを超えるサイズのマークを記録せず、隣接トラックに影響を及ぼすことのないビームスポット以下の所定サイズのマークのみを記録する構成としている。
この結果、トラックピッチが狭いディスクであっても、隣接トラックの再生信号に影響を与えることなく、再生時のクロストークを低減することができる。また、データ記録処理においても、隣接トラックにはみ出すマークは記録されず、隣接トラックの記録データに影響を与えるいわゆるクロスライトも低減できる。
【００４１】
すなわち、図２に示すトラックｎの記録データが、隣接するトラックｎ−１，ｎ＋１のデータの再生処理や記録処理に対する影響を低減することか可能となり、結果として再生データのＳＮ比の向上、再生品質の向上を実現することができる。
【００４２】
なお、上述した説明では、多値変調データの値に応じて、
（ａ）マーク非記録領域、
（ｂ）第１密度のマーク記録領域、
（ｃ）第２密度のマーク記録領域、
ただし、第１密度は第２密度より低密度、
少なくとも上記３種類以上の異なる態様の記録領域を記録メディアに形成するデータ記録処理の例について説明したが、その他、例えば、以下のような記録処理を行ってもよい。
すなわち、多値変調データの値に応じて、
（ａ）第１密度のマーク記録領域、
（ｂ）第２密度のマーク記録領域、
（ｃ）第３密度のマーク記録領域、
ただし、前記第１密度は前記第２密度より低密度、前記第２密度は前記第３密度より低密度、
このような３種類以上の異なる態様の記録領域を記録メディアに形成するデータ記録処理を実行してもよい。
【００４３】
［３．本開示の記録装置、再生装置の構成例について］
次に、図２を参照して説明した多値変調信号に基づくマークの記録、および再生を行う本開示の記録装置、再生装置の構成例について説明する。
【００４４】
図３に本開示の記録装置と再生装置の機能を併せ持つ記録再生装置１００の一構成例を示す。
【００４５】
記録再生装置１００は、ＰＣ等の外部装置１５０とホストＩＦ１０１を介して接続され、外部装置１５０から記録データ（２値信号列）を入力し、また、ディスク１０からの再生信号に基づいて生成した再生データ（２値信号列）を外部装置１５０に出力する。
外部装置１５０は、ホストインターフェース１０１を介して記録再生装置１００の動作を制御し、記録再生装置１００に画像や音声その他のデータを転送する。
【００４６】
まず、ディスク１０に対するデータ記録処理について説明する。
記録再生装置１００の制御部１０２は、ＰＣ等の外部装置１５０から、ホストＩＦ１０１を介して記録データ（２値信号列）を入力する。制御部１０２は、記録再生装置において実行する処理の制御を行う。なお、制御部１０２は、例えばバスコントロールユニット（Ｂｕｓ  Ｃｏｎｔｒｏｌ  Ｕｎｉｔ）や、ダイレクト・メモリ・アクセスコントローラ（ＤＭＡ  Ｃｏｎｔｒｏｌｌｅｒ）の機能も有する。
【００４７】
記憶部（Ｂｕｆｆｅｒ  Ｍｅｍｏｒｙ）１０３は、制御部１０２の実行する処理プログラム、パラメータ等の記録領域、さらに外部装置１５０からの入力データ、また外部装置１５０への出力データの一時的な記録領域等として利用される。
【００４８】
制御部１０２は、ＰＣ等の外部装置１５０から入力した記録データ（２値信号列）を、記録データフォーマット部（ＥＣＣ ＥＮＣ  Ｆｏｒｍａｔｔｅｒ）１０４に出力する。
【００４９】
記録データフォーマット部１０４は、外部装置１５０から入力した記録データ（２値信号列）を、予め規定されたディスク記録用フォーマットに変換する。なお、このフォーマット変換処理においては、ＥＣＣ（Ｅｒｒｏｒ  Ｃｏｒｒｅｃｔｉｏｎ  Ｃｏｄｅ）等、誤り訂正符号の付加処理等も併せて実行する。
【００５０】
記録データフォーマット部１０４において生成されたフォーマットデータは、多値変調部（Ｍｏｄｕｌａｔｏｒ）１０５に入力される。
多値変調部（Ｍｏｄｕｌａｔｏｒ）１０５は、２値データからなるフォーマットデータを多値、すなわち３値以上の多値データに変換する。すなわち、図２を参照して説明した（ａ）記録用２値データから、（ｂ）多値変調データを生成する処理である。なお、前述した図２の例では、２値データから３値データへの多値変調処理について説明したが、多値変調処理は３値に限らず、４値、５値以上等、任意の多値変調が利用できる。
【００５１】
多値変調部（Ｍｏｄｕｌａｔｏｒ）１０５において生成された多値変調データは、記録パルス生成部１０６に出力される。
【００５２】
記録パルス生成部１０６は、図２を参照して説明した（ｂ）多値変調データから（ｃ）記録パルスを生成する処理を実行する。
ここで生成する記録パルスは、図１を参照して説明したようなビームスポットを超えるサイズのマークを記録するパルスを含まず、図２を参照して説明したように、ビームスポット以下の所定サイズのマークのみで構成される。
【００５３】
なお、所定サイズとは、具体的には、例えば、記録再生処理において利用されるビームスポットサイズ以下のサイズ、特に、ビームスポットの２次元光強度分布（パワープロファイル）における最大値（Ｐｍａｘ）の半分（１／２）のパワーレベルとなるビームスポット直径（半値幅）以下である。
【００５４】
ディスク１０に記録するマークサイズをこのようにビームスポット以下の所定サイズに設定することで、自トラックの記録マーク列が隣接トラックに与える影響を抑止し、クロスライトを効果的に防止できる。
記録パルス生成部１０６の実行する具体的なパルス生成処理例については、後段において図４等を参照して詳細に説明する。
【００５５】
記録パルス生成部１０６の生成した記録パルス列は、記録補正部（ＷＳ：Ｗｒｉｔｅ  Ｓｔｒａｔｅｇｙ）１０７を介して光学ピックアップユニット（ＯＰＵ：Ｏｐｔｉｃａｌ  Ｐｉｃｋｕｐ  Ｕｎｉｔ）１０８に供給される。
【００５６】
なお、記録補正部（ＷＳ）１０７と光学ピックアップユニット（ＯＰＵ）１０８は、ディスク１０のマークを記録するデータ記録部の構成要素である。
【００５７】
記録補正部（ＷＳ）１０７は、記録パルス生成部１０６の生成した記録パルス列に基づいて、光学ピックアップユニット１０８のＬＤＤ（Ｌａｓｅｒ  Ｄｉｏｄｅ  Ｄｒｉｖｅｒ）１１１に出力する記録信号を生成する。すなわち、記録におけるメディアのマーク形成過程の非線形性等を考慮し、記録パルス列と同等のマーク列がメディア上に形成される様に予めパルスの形状や形態を補正した記録信号を生成してＬＤＤ１１１に出力する。
【００５８】
光学ピックアップユニット１０８のＬＤＤ１１１は、記録補正部（ＷＳ）１０７から入力する記録パルス列に従った記録信号に基づいてＬＤ（Ｌａｓｅｒ  Ｄｉｏｄｅ）１１３を駆動して、ディスク１０に記録パルス列に従ったマークを記録する。
【００５９】
ここでディスクに記録されるマークは、図２を参照して説明したビームスポット以下の所定サイズのマークのみである。
マークサイズの制御は、ＬＤＤ１１１によるＬＤ１１３のパワー制御によって実行することができる。ＬＤ１１３のパワーを制御することで、所定サイズのマークをディスク１０に記録することができる。なお、ＬＤ１１３のパワーを制御してビームスポット以下のサイズのマークを記録する処理は筆先記録と呼ばれる。すなわち、記録補正部（ＷＳ）１０７は、光学ピックアップユニット（ＯＰＵ）１０８のＬＤＤ１１１に、筆先記録による所定サイズのマークを記録する記録信号を生成して出力する。
【００６０】
なお、ディスク１０に対するマーク記録時には、ＦＰＤ（Ｆｒｏｎｔ−ｍｏｎｉｔｏｒ  Ｐｈｏｔｏ  Ｄｅｔｅｃｔｏｒ）１１２が、ビームスプリッタ１１５で分割されたＬＤ１１３の出射光を受光し、この受光信号をＬＤＤ１１１に帰還する。ＬＤＤ１１１はこの信号に基づいてＬＤ１１３の光出力パワーを所定の目標値に制御し、記録補正部（ＷＳ）１０７から入力される記録パルス列に従ったマーク列を所定のマークサイズでトラック上に記録する。
【００６１】
このような制御によって、ディスク１０には、図２を参照して説明したビームスポット以下の所定サイズのマークのみからなるマーク列が記録される。
【００６２】
次に、ディスク１０に記録されたマーク列を読み出して再生する処理について説明する。
データ再生処理の概要は、以下の通りである。まず、光学ピックアップユニット（ＯＰＵ）１０８〜ＰＲＭＬ１２３によって構成されるデータ読み出し部において、ディスク１０からのマーク読出しと、読出しデータに基づく多値データの生成処理が実行される。次に多値データが復調部１３１に入力され、復調処理により２値データに変換される。次に再生データデフォーマット部１３２が、復調２値信号に基づいて再生データを生成する。
再生処理の大まかな流れはこの通りである。以下、各構成部の処理について説明する。
尚、記録時と再生時のレーザの光強度は異なり、
Ｐｗ（記録時のレーザ光強度）＞Ｐｒ（再生時のレーザ光強度）
であるが、ビームスポットサイズおよびビームプロファイルの相対的な形状は同一である。
【００６３】
ディスク１０に記録されたマーク列は、ディスク盤面におけるビームスポットの２次元強度分布（パワープロファイル）とトラック方向に畳み込まれて反射光となり、光学ピックアップユニット（ＯＰＵ）１０８の対物レンズ１１６とビームスプリッタ１１５を介してフォトディテクタ（ＰＤ：ｐｈｏｔｏ  Ｄｅｔｅｃｔｏｒ）１１４によって読み出され、再生ＲＦ信号（ＰＢＲＦ：Ｐｌａｙ―Ｂａｃｋ  Ｒａｄｉｏ  Ｆｒｅｑｕｅｎｃｙ  ｓｉｇｎａｌ）としてＦＥＰ（Ｆｒｏｎｔ−Ｅｎｄ  Ｐｒｏｃｅｓｓ）１２１に入力される。
【００６４】
ＦＥＰ１２１は、読出し信号の増幅処理や広域ノイズ成分の除去処理、必要な信号帯域の強調処理等の再生信号成形処理を行い、処理信号をＡＤＣ（Ａｎａｌａｏｇ  ｔｏ  Ｄｉｇｉｔａｌ  Ｃｏｎｖｅｒｔｏｒ）−ＰＬＬ（Ｐｈａｓｅ  Ｌｏｃｋｅｄ  Ｌｏｏｐ）１２２に出力する。
ＡＤＣ−ＰＬＬ１２２のＡＤＣは、ＦＥＰ１２１から入力した再生信号のデジタル変換を行う。ＰＬＬは再生クロック生成処理を実行する。
【００６５】
ＡＤＣ−ＰＬＬ１２２において生成された再生信号のデジタル変換データと再生クロック信号はＰＲＭＬ（Ｐａｒｔｉａｌ  Ｒｅｓｐｏｎｓｅ  Ｍａｘｉｍｕｍ  Ｌｉｋｅｌｉｈｏｏｄ）１２３に出力される。
【００６６】
ＰＲＭＬ１２３は、パーシャルレスポンス最尤復号処理（ＰＲＭＬ検出方式：  Ｐａｒｔｉａｌ  Ｒｅｓｐｏｎｓｅ  Ｍａｘｉｍｕｍ  Ｌｉｋｅｌｉｈｏｏｄ検出方式）により、所定の符号間干渉により予め規定される基準レベルを参照し、ビタビアルゴリズムにより再生信号のシーケンスを最尤推定して多値データ列を生成する。多値データ列とは例えば３値等、３値以上の多値データからなるデータ列である。
【００６７】
ＰＲＭＬ１２３の生成した再生多値信号列は、復調部（Ｄｅｍｏｄｕｌａｔｏｒ）１３１に出力される。
復調部（Ｄｅｍｏｄｕｌａｔｏｒ）１３１は、ＰＲＭＬ１２３から入力する多値データ列を入力して、復調処理、すなわち、多値変調部（Ｍｏｄｕｌａｔｏｒ）１０５の実行する多値変調の逆処理を行い、３値等の多値データから２値データを復元する。
具体的には、図２を参照して説明した（ｂ）多値変換データから、（ａ）２値データを復元する処理を実行する。
【００６８】
復調部（Ｄｅｍｏｄｕｌａｔｏｒ）１３１がディスク１０からの再生信号に基づいて復元した２値データは、再生データデフォーマット部（ＥＣＣ  ＤＥＣ  Ｄｅｆｏｒｍａｔｔｅｒ）１３２に入力される。
【００６９】
再生データデフォーマット部（ＥＣＣ  ＤＥＣ  Ｄｅｆｏｒｍａｔｔｅｒ）１３２は、復調部（Ｄｅｍｏｄｕｌａｔｏｒ）１３１から入力する２値データ（ディスク記録フォーマットデータ）から、再生信号として利用される２値データ列を生成する。具体的には、例えばＥＣＣを用いてエラー訂正等を行い、画像、音声等の再生信号を構成する２値データ列を生成する。
【００７０】
再生データデフォーマット部（ＥＣＣ  ＤＥＣ  Ｄｅｆｏｒｍａｔｔｅｒ）１３２の生成した再生信号である２値データは、制御部１０２とホストＩＦ１０１を介して外部装置１５０に転送され、外部装置１５０において、再生信号に基づく画像、音声、その他のデータとして利用される。
【００７１】
次に、図４を参照して、記録パルス生成部１０６の具体例について説明する。
記録パルス生成部１０６は、図２を参照して説明した（ｂ）多値変調データから（ｃ）記録パルスを生成する処理を実行する。
なお、記録パルス生成部１０６の生成するパルスは、図１を参照して説明したようなビームスポットを超えるサイズのマークを記録するためのパルスを含まない。記録パルス生成部１０６の生成するパルスは、図２を参照して説明したように、所定サイズのマークのみである。
【００７２】
図４には、記録パルス生成部１０６の一構成例としてデルタシグマ（ΔΣ）変調器２１０を利用した構成例を示している。デルタシグマ変調器２１０は、図に示すように、差分算出部２１１、アキュムレータ２１２、再量子化部２１３によって構成される。
【００７３】
差分算出部２１１は、多値変調部１０５から入力される多値変調データと、再量子化部２１３からのフィードバックデータとの差分をアキュムレータ２１２に出力する。アキュムレータ２１２は差分データに基づく演算処理により、デルタシグマ（ΔΣ）変調データを生成して再量子化部２１３に出力する。再量子化部２１３は、デルタシグマ（ΔΣ）変調データの量子化処理を実行して、量子化データをエッジトリガ２２０に出力する。
【００７４】
エッジトリガ２２０は、デルタシグマ変調器２１０の再量子化部２１３からの出力のエッジ部を抽出する波形成形を行って記録パルス出力データを生成して記録補正部１０７に出力する。
【００７５】
図４に示す記録パルス生成部１０６の各構成部が生成するデータ、すなわち、
（ａ）多値変調部１０５から出力される多値変調データ、
（ｂ）アキュムレータ２１２が生成するデルタシグマ（ΔΣ）変調データ、
（ｃ）再量子化部２１３が生成する再量子化データ、
（ｄ）記録パルス生成部１０６の生成する記録パルス出力データ、
これらの各データの例を図５に示す。
【００７６】
図５には、上から、上記（ａ）〜（ｄ）の各データを示している。さらに、（ｄ）記録パルス出力データに基づいて、ディスク１０に記録される（ｅ）記録マーク列の例も併せて示している。
図５の（ａ）〜（ｄ）に示すグラフの横軸は、時間軸に相当する。
図５（ａ）多値変調データは、図２を参照して説明した３値ではなく、７値（Ｓ０〜Ｓ６）の多値データの例である。
【００７７】
図４の実施例の各部波形を示す図５（ａ）のＳ０〜Ｓ６の７値間の遷移規則は任意であるが、例えば、記録用２値データのビット値＝０の場合、Ｓ０〜Ｓ６の７値間の遷移は実行されず、一方、記録用２値データのビット値＝１の場合、Ｓ０〜Ｓ６の７値間の遷移が実行される。この場合の多値変調のレベルは、Ｓ０→Ｓ１→Ｓ２→Ｓ３→Ｓ４→Ｓ５→Ｓ６→Ｓ５→Ｓ４→Ｓ３→Ｓ２→Ｓ１→Ｓ０のシーケンスに従って遷移する。
【００７８】
この７値の多値変調データが多値変調部１０５から出力され、記録パルス生成部１０６に入力される。
（ｂ）デルタシグマ（ΔΣ）変調データは、記録パルス生成部１０６のアキュムレータ２１２が生成するデルタシグマ（ΔΣ）変調データである。なお、この例は一次のΔΣ変調データを示している。多値データがＳ０に近いほど疎なパルスとなりＳ６に近いほど密なパルスとなる。
【００７９】
（ｃ）再量子化データは、再量子化部２１３が生成する再量子化データであり、（ｂ）デルタシグマ（ΔΣ）変調データの量子化処理によって生成される。なお、この例は２値化の例を示している。
（ｄ）記録パルス出力データは、記録パルス生成部１０６の生成する記録パルス出力データであり、（ｃ）再量子化データのエッジ部を抽出する波形成形を行って生成される記録パルス出力データである。この処理によって、パルス周波数変調（ＰＦＭ：Ｐｕｌｓｅ  Ｆｒｅｑｕｅｎｃｙ  Ｍｏｄｕｌａｔｉｏｎ）信号を生成して記録補正部１０７に出力する。
【００８０】
記録パルス生成部１０６は、図５（ｄ）に示すように、多値変調データの値に応じて密度の異なるパルス周波数変調データ（ＰＦＭ）を生成して記録補正部（ＷＳ）１０７に出力する。
【００８１】
記録補正部１０７は、記録パルス生成部１０６の出力であるパルス周波数変調（ＰＦＭ）信号に基づいて、ディスク１０に記録マークを記録する。
すなわち、記録補正部１０７は、パルス周波数変調（ＰＦＭ）信号に基づいて、光学ピックアップユニット１０８のＬＤＤ１１１に出力するための記録信号を生成して出力する。ＬＤＤ１１１は、記録補正部１０７から入力する記録パルス列に従った記録信号に基づいてＬＤ１１３を駆動して、ディスク１０に記録パルス列に従ったマークを記録する。
【００８２】
図５（ｅ）記録マーク列データは、図５（ｄ）記録パルス出力データに基づいてディスク１０に記録されるマーク列である。
なお、本開示の処理では、図２を参照して説明したように、マークのサイズは、ビームスポット以下の所定サイズのマークのみである。前述したように、マークサイズの制御は、ＬＤＤ１１１によるＬＤ１１３のパワー制御によって実行することができる。ＬＤ１１３のパワーを制御することで、ビームスポット以下の所定サイズのマークをディスク１０に記録することができる。なお、ＬＤ１１３のパワーを制御してビームスポット以下の所定サイズのマークを記録する処理は筆先記録と呼ばれる。
【００８３】
なお、図５に示す例では、記録パルス列生成部１０６の出力する（ｄ）記録パルス出力データを、パルス周波数変調（ＰＦＭ：Ｐｕｌｓｅ  Ｆｒｅｑｕｅｎｃｙ  Ｍｏｄｕｌａｔｉｏｎ）信号とした例を示したが、記録パルス列生成部１０６の出力するデータは、パルス周波数変調（ＰＦＭ）データに限定されるものではない。例えば、パルス密度変調（ＰＤＭ：Ｐｕｌｓｅ  Ｄｅｎｓｉｔｙ  Ｍｏｄｕｌａｔｉｏｎ）信号、あるいはパルス数変調（ＰＮＭ：Ｐｕｌｓｅ  Ｎｕｍｂｅｒ  Ｍｏｄｕｌａｔｉｏｎ）信号としてもよい。これらは単位時間あたりのパルスの数で信号レベルを表現するパルス変調方式であり、本質的に同等のものである。
【００８４】
また、本実施例における多値記録の各レベルは、図５（ｅ）の様に記録マークの粗密（疎密）として記録され、明確な未記録マーク部分を含まない。この為、現状の多値記録の様な未記録マーク部と記録マーク部の間の不連続な相転移を含まず、多値変調の各レベルの直線性を維持するのに好適である。
【００８５】
図６は、図５（ｅ）に示す記録マーク列データを再生する場合の再生信号の例を示す図である。
図６には、図４に示す光学ピックアップユニット（ＯＰＵ：Ｏｐｔｉｃａｌ  Ｐｉｃｋｕｐ  Ｕｎｉｔ）１０８のフォトディテクタ（ＰＤ：ｐｈｏｔｏ  Ｄｅｔｅｃｔｏｒ）１１４によって読み出される（ｆ）再生ＲＦ信号（ＰＢＲＦ）の例を示している。
【００８６】
ディスク１０に記録された（ｅ）マーク列が、ディスク盤面におけるビームスポットの２次元強度分布（パワープロファイル）とトラック方向に畳み込まれて反射光となり、光学ピックアップユニット（ＯＰＵ）１０８の対物レンズ１１６とビームスプリッタ１１５を介してフォトディテクタ（ＰＤ）１１４によって読み出された（ｆ）再生ＲＦ信号（ＰＢＲＦ）は、ＦＥＰ１２１に入力され、ＦＥＰ１２１において、信号の増幅処理や広域ノイズ成分の除去処理、必要な信号帯域の強調処理等の再生信号成形処理が行われ、ＡＤＣ−ＰＬＬ１２２を介してＰＲＭＬ１２３に出力される。
【００８７】
ＰＲＭＬ１２３は、パーシャルレスポンス最尤復号処理（ＰＲＭＬ検出方式：  Ｐａｒｔｉａｌ  Ｒｅｓｐｏｎｓｅ  Ｍａｘｉｍｕｍ  Ｌｉｋｅｌｉｈｏｏｄ検出方式）により、所定の符号間干渉により予め規定される基準レベルを参照し、ビタビアルゴリズムにより再生信号のシーケンスを最尤推定して多値データ列を生成し、復調部（Ｄｅｍｏｄｕｌａｔｏｒ）１３１に出力する。復調部１３１は、ＰＲＭＬ１２３から入力する多値データ列を入力して、多値データから２値データを復元する。
【００８８】
［４．マークサイズの具体例について］
本開示の記録装置は、ディスクに記録するマークのサイズをビームスポット以下の所定サイズとしている。以下、このマークのサイズの具体例について説明する。
【００８９】
図７（１）は、本開示の記録装置がディスクに記録されたマーク列を読み出す際のビームスポットサイズの規定の一例を説明する図である。
ビームスポットの直径をＤ１とする。
【００９０】
図７（２）は、マークサイズのサイズの規定の一例を説明している。マークの直径ｄｍを、ビームスポットの直径Ｄ１以下の直径としたとき、マークサイズをビームスポットのサイズ以下のサイズとする。
すなわち、マークサイズｄｍを以下の式を満足する設定とする。
ｄｍ≦Ｄ１
【００９１】
このように、ディスクに記録するマークサイズｄｍをビームスポットサイズＤ１以下の所定サイズのみに設定することで、再生時の隣接トラックのマークとビームスポットの干渉を低減する事ができ、クロストークを効果的に防止または低減することができる。
【００９２】
図８は、本開示の記録装置がディスクに記録するマークサイズの規定のもう一つの例を説明する図である。図８（１）は記録時のビームスポットの２次元光強度分布（パワープロファイル）を説明する図である。
図８（１）に示すように、ビームスポットの２次元光強度分布（パワープロファイル）は中央部ほど高く、周辺部では低いレベルとなる。
【００９３】
ビームスポットの２次元光強度分布（パワープロファイル）の最大値（Ｐｍａｘ）最大値（Ｐｍａｘ）の半分（Ｐｍａｘ／２）となるレベルを持つビームスポットの直径を（Ｄ２）とする。ここでＤ２を半値幅と称する。
【００９４】
このビームスポットの半値幅（Ｄ２）以下にマークサイズを設定する。
【００９５】
図８（２）は、マークサイズのサイズの規定例を説明している。マークの直径ｄｍを、ビームスポットの最大値（Ｐｍａｘ）半値幅（Ｄ２）以下の直径とする。
すなわち、マークサイズｄｍを以下の式を満足する設定とする。
ｄｍ≦Ｄ２
【００９６】
この様に、記録されるマークサイズをビームスポットの半値幅よりも小さくすることで、記録装置におけるデータ記録時にも、隣接トラックに対する記録の影響が減少する。すなわち、クロスライトの防止や低減が可能となる。
【００９７】
［５．本開示の処理を適用可能な記録媒体（記録メディア）について］
次に、本開示の処理を適用可能な記録媒体（記録メディア）について説明する。本開示の処理を適用可能なメディアは、相変化型のメディアの他、光照射による反射率が変化する色素材料や無機材料から構成されるメディア、カー効果を利用した光磁気メディア等、様々なメディアが利用できる。
これらの様々なメディアに記録するマークは、反射率の変化を生じさせる構成であればよく、形状を変化させることなく反射率のみを変化させる構成の他、ピット、空孔等の形状変化により反射率を変化させるマーク等、様々な構成を持つマークが利用できる。
【００９８】
さらに、本開示の構成は、光記録型の構成のみならず、磁気記録を行う装置においても利用できる。例えば、磁気記録においては、磁区が本開示のマークに相当し、１つの磁区サイズが本開示のマークサイズに対応する。
【００９９】
図７、図８を参照して説明した光記録構成では、マークサイズを光ビームスポットのサイズに基づいて規定しているが、磁気記録におけるマーク（磁区）サイズは、例えば、磁気記録再生装置における記録または再生ギャップに基づいて規定することができる。
【０１００】
例えば、記録されるマークサイズ（磁区サイズ）を磁気記録再生装置における再生時の再生ヘッドの磁気プロファイルの最大値（Ｐｍａｘ）の１／２となる幅（半値幅）以下の所定サイズとする等の設定とする。
これらの構成により、磁気記録再生装置においてもクロストークやクロスライトの防止、または低減が実現される。
【０１０１】
［６．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０１０２】
なお、本明細書において開示した技術は、以下のような構成をとることができる。
（１）  多値変調データに基づく記録パルスを生成する記録パルス生成部と、
前記記録パルス生成部の生成した記録パルスに基づいて、記録メディアにマークを記録するデータ記録部を有し、
前記データ記録部は、
前記記録メディアに記録する全てのマークのサイズを、ビームスポットのスポットサイズ以下のサイズとするデータ記録処理を実行する情報記録装置。
【０１０３】
（２）  前記データ記録部は、
前記記録メディアに記録する全てのマークのサイズを、ビームスポットの２次元光強度分布（パワープロファイル）の最大値（Ｐｍａｘ）の半分（１／２）のレベルとなるスポットサイズ以下のサイズとするデータ記録処理を実行する（１）に記載の情報記録装置。
【０１０４】
（３）前記データ記録部は、
前記多値変調データの値に応じて、記録マークの密度の異なる複数の態様の記録領域を前記記録メディアに形成するデータ記録処理を実行する、（１）または（２）に記載の情報記録装置。
【０１０５】
（４）  前記データ記録部は、
前記多値変調データの値に応じて、
（ａ）マーク非記録領域、
（ｂ）第1密度のマーク記録領域、
（ｃ）第２密度のマーク記録領域、
ただし、前記第１密度は前記第２密度より低密度、
少なくとも上記３種類以上の異なる態様の記録領域を、前記記録メディアに形成するデータ記録処理を実行する（１）〜（３）いずれかに記載の情報記録装置。
【０１０６】
（５）  前記データ記録部は、
前記多値変調データの値に応じて、
（ａ）第１密度のマーク記録領域、
（ｂ）第２密度のマーク記録領域、
（ｃ）第３密度のマーク記録領域、
ただし、前記第１密度は前記第２密度より低密度、前記第２密度は前記第３密度より低密度、
少なくとも上記３種類以上の異なる態様の記録領域を、前記記録メディアに形成するデータ記録処理を実行する、（１）〜（３）いずれかに記載の情報記録装置。
【０１０７】
（６）  前記記録パルス生成部は、
前記多値変調データの値に応じて密度の異なるパルス信号を生成して、前記データ記録部に出力する（１）〜（５）いずれかに記載の情報記録装置。
【０１０８】
（７）  前記記録パルス生成部は、
前記多値変調データの値に応じて密度の異なるパルス周波数変調データ（ＰＦＭ：Ｐｕｌｓｅ  Ｆｒｅｑｕｅｎｃｙ  Ｍｏｄｕｌａｔｉｏｎ）信号、
または、パルス密度変調（ＰＤＭ：Ｐｕｌｓｅ  Ｄｅｎｓｉｔｙ  Ｍｏｄｕｌａｔｉｏｎ）信号、
または、パルス数変調（ＰＮＭ：Ｐｕｌｓｅ  Ｎｕｍｂｅｒ  Ｍｏｄｕｌａｔｉｏｎ）信号を生成し、
前記データ記録部が、該記録パルスに基づいて前記記録メディアにマークを形成するデータ記録処理を実行する（１）〜（６）いずれかに記載の情報記録装置。
【０１０９】
（８）前記記録パルス生成部は、差分算出部と累積加算器（アキュムレータ）と再量子化部で構成されるデルタシグマ変調器を有し、前記多値変調データの値に応じて、パルス密度の異なる複数の態様の記録パルスを生成し、
前記データ記録部が、該記録パルスに基づいて前記記録メディアにマークを形成するデータ記録処理を実行する（１）〜（７）いずれかに記載の情報記録装置。
【０１１０】
（９）  前記データ記録部は、
記録補正部と、光学ピックアップユニット（ＯＰＵ：Ｏｐｔｉｃａｌ  Ｐｉｃｋｕｐ  Ｕｎｉｔ）を有し、
前記記録補正部は、
前記記録パルス生成部の生成した記録パルスの幅およびタイミングを補正して、該ＯＰＵを構成するレーザダイオードドライバ（ＬＤＤ：Ｌａｓｅｒ  Ｄｉｏｄｅ  Ｄｒｉｖｅｒ）に出力する記録信号を生成し、
前記ＬＤＤは、前記記録補正部が生成した記録信号により該ＯＰＵを構成するレーザダイオード（ＬＤ：Ｌａｓｅｒ  Ｄｉｏｄｅ）を駆動し、かつ、前記ＬＤＤは、該ＯＰＵを構成するフロントモニタ（ＦＰＤ：Ｆｒｏｎｔ  Ｍｏｎｉｔｏｒ  Ｐｈｏｔｏｄｅｔｅｃｔｏｒ）が出力する前記ＬＤ出力の光強度検出信号に基き前記ＬＤの出力光強度を制御し、筆先記録によるマーク記録を行う（１）〜（８）いずれかに記載の情報記録装置。
【０１１１】
（１０）  多値変調データに基づくマークを記録した情報記録媒体であり、
ビームスポットのスポットサイズ以下のサイズからなるマークのみを記録した情報記録媒体。
【０１１２】
（１１）  前記マークは全て、ビームスポットの２次元光強度分布（パワープロファイル）の最大値（Ｐｍａｘ）の半分（１／２）のレベルとなるスポットサイズ以下のサイズである（１０）に記載の情報記録媒体。
【０１１３】
（１２）  情報記録媒体に記録されたマークの読出しを実行して多値変調データを取得するデータ読み出し部と、
前記データ読み出し部の取得した多値変調データを入力して２値データを生成する復調部を有し、
前記データ読み出し部は、
光学ピックアップユニットのビームスポットのスポットサイズ以下のマークのみの読出し処理を実行する情報再生装置。
【０１１４】
（１３）  前記データ読み出し部は、
光学ピックアップユニットのビームスポットの２次元光強度分布（パワープロファイル）の最大値（Ｐｍａｘ）の半分（１／２）のレベルとなるスポットサイズ以下のサイズのマークのみの読出し処理を実行する（１２）に記載の情報再生装置。
【０１１５】
（１４）  情報記録装置において、情報記録媒体への情報記録処理を実行する情報記録方法であり、
記録パルス生成部が、多値変調データに基づく記録パルスを生成する記録パルス生成ステップと、
データ記録部が、前記記録パルス生成部の生成した記録パルスに基づいて、記録メディアにマークを記録するデータ記録ステップを実行し、
前記データ記録ステップにおいて、
前記記録メディアに記録する全てのマークのサイズを、ビームスポットのスポットサイズ以下のサイズとしたデータ記録処理を実行する情報記録方法。
【０１１６】
（１５）  情報記録装置に情報記録媒体への情報記録処理を実行させるプログラムあり、
記録パルス生成部に、多値変調データに基づく記録パルスを生成させる記録パルス生成ステップと、
データ記録部に、前記記録パルス生成部の生成した記録パルスに基づいて、記録メディアにマークを記録させるデータ記録ステップを実行し、
前記データ記録ステップにおいて、
前記記録メディアに記録する全てのマークのサイズを、ビームスポットのスポットサイズ以下のサイズとしたデータ記録処理を実行させるプログラム。
【０１１７】
また、明細書中において説明した一連の処理はハードウェア、またはソフトウェア、あるいは両者の複合構成によって実行することができる。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることができる。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０１１８】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０１１９】
以上、説明したように、本開示の一実施例の構成によれば、記録メディアに記録するマークのサイズを小さくしてクロストーク、クロスライトの防止、低減を可能とした構成が実現される。
具体的には、例えば、多値変調データに基づく記録パルスを生成する記録パルス生成部と、記録パルスに基づいて、記録メディアにマークを記録するデータ記録部を有する。データ記録部は、記録メディアに記録する全てのマークのサイズを、ビームスポットの２次元光強度分布（パワープロファイル）の最大値（Ｐｍａｘ）の半分（１／２）のレベルとなるスポットサイズ以下のサイズとした記録処理を実行し、多値変調データの値に応じて、（ａ）マークの非記録領域、（ｂ）低密度マークの記録領域、（ｃ）高密度マークの記録領域、少なくともこれら３種類の異なる態様の記録領域を形成するデータ記録処理を実行する。
本構成により、記録メディアに記録するマークのサイズを小さくしてクロストーク、クロスライトの防止、低減を可能とした構成が実現される。
【符号の説明】
【０１２０】
１０  ディスク
１００  記録再生装置
１０１  ホストＩＦ
１０２  制御部
１０３  記憶部
１０４  記録データフォーマット部
１０５  多値変調部
１０６  記録パルス生成部部
１０７  記録補正部
１０８  光学ピックアップユニット（ＯＰＵ）
１１１  ＬＤＤ
１１２  ＦＰＤ
１１３  ＬＤ
１１４  ＰＤ
１１５  ビームスプリッタ
１１６  対物レンズ
１２１  ＦＥＰ
１２２  ＡＤＤＰＬＬ
１２３  ＰＲＭＬ
１３１  復調部
１３２  再生データフォーマット部
１５０  外部装置
２１０  デルタシグマ変調器
２１１  差分算出部
２１２  アキュムレータ
２１３  再量子化部
２２０  エッジトリガ
【図１】
2019244550.tif 000003
【図２】
2019244550.tif 000004
【図３】
2019244550.tif 000005
【図４】
2019244550.tif 000006
【図５】
2019244550.tif 000007
【図６】
2019244550.tif 000008
【図７】
2019244550.tif 000009
【図８】
2019244550.tif 000010
【国際調査報告】
2019244550.tif 000011
2019244550.tif 000012
2019244550.tif 000013
2019244550.tif 000014